(57)【要約】【課題】  従来のデジタルカメラ等の電池蓋は電池蓋側面と電池蓋外表面とのなす角度が垂直なため、電池蓋方向からデジタルカメラを見たときに、電池蓋と筐体の隙間からデジタルカメラ内部が見え外観品位を外観品位を損ねていた。【解決手段】  本発明では、デジタルカメラ筐体に開閉可能に電池蓋が取り付けられ、電池蓋全閉位置において電池蓋の３面以上の側面がデジタルカメラ筐体と略平行且つ近接し、電池蓋外表面と電池蓋側面のなす角度が鋭角及び鈍角の関係にする。【選択図】  図１
2008192363.tif 000002
【特許請求の範囲】
【請求項１】
筐体に対し開閉可能に蓋体（５）が取り付けられ、前記蓋体は筐体に対し回動可能であり、全閉位置において前記蓋体（５）は３面以上の側面（２５）を筐体（２６）と略平行且つ近接又は当接し、前記蓋体外表面（２６）と前記蓋体側面（２５）のなす角度α、β、γが鋭角及び鈍角の双方であることを特徴とする蓋開閉構造。
【請求項２】
前記回動中心に略平行且つ近傍の蓋体側面（２５ａ）と前記蓋体外表面（２６）のなす角度αと、その他蓋体側面（２５ｂ，２５ｃ）と前記蓋体外表面（２６）のなす角度β、γとで、どちらか一方が鋭角で且つ他方が鈍角であることを特徴とする請求項１記載の蓋開閉構造。
【請求項３】
前記蓋体側面の内、前記回動中心に略平行且つ近傍の蓋体側面（２５ａ）と前記蓋体外表面（２６）のなす角度αが鋭角であることを特徴とする請求項２記載の蓋体開閉構造。
【請求項４】
蓋体（５）の全開位置において、前記蓋体側面（２５ａ）と筐体外表面（２８）が略並行で近接又は当接することを特徴とする請求項１記載の蓋開閉構造。
【発明の詳細な説明】
【技術分野】
【０００１】
本発明はデジタルカメラなどの電子機器の蓋開閉構造、特に電池やメモリーカード等の蓋開閉構造に関する。
【背景技術】
【０００２】
従来の蓋開閉構造には、筐体に対し回動可能な支持プレートと前記支持プレートにスライド可能に取り付けられた蓋体を備えたものがある。（例えば、特許文献１参照）
以下、図７により従来のデジタルカメラの電池蓋の開閉装置について説明する。デジタルカメラを構成する筐体の一側には電池収納部が形成され、この電池収納部の開口は電池蓋により開閉される構成になっている。
【０００３】
筐体内部に形成された穴に軸部材が挿入され、軸部材が固定されており、前記支持プレートは軸部材と回動自在に軸支されている。電池蓋は電池蓋の面内方向かつ軸部材に垂直方向にスライド可能に支持プレートと係合されている。筐体および電池蓋内面には係合部を備え、電池蓋内面には電池接片を備え、電池収納部突き当りにも図示していない電池接片を備える。
【０００４】
このような従来の蓋開閉構造において、電池蓋全閉状態において筐体および電池蓋内面の係合部の面が勘合され電池蓋を閉方向に付勢する。電池蓋を全閉位置から全開位置に移動する動作は、支持プレートとのスライド移動により、電池蓋が全閉状態から筐体底面に平行且つ軸部材に垂直方向に移動する。支持プレートと電池蓋が一体的に軸部材を中心に回動し、電池蓋が全開位置に移動する。
【特許文献１】特開２００３−２５７３９５号公報
【発明の開示】
【発明が解決しようとする課題】
【０００５】
しかしながら、上記従来例では電池蓋側面と電池蓋外表面とのなす角度が垂直なため、電池蓋方向からデジタルカメラを見たときに、電池蓋と筐体の隙間からデジタルカメラ内部が見え外観品位を外観品位を損ねていた。また、電池接片のばね力による電池蓋の開方向への付勢力に対して係合部のみで電池蓋を固定していたために、係合部が不十分であったり電池接片のばね力が強い場合には、電池蓋の剛性が不十分であった。
【課題を解決するための手段】
【０００６】
上記課題を解決するために、本発明の第一の発明は、筐体に対し開閉可能に蓋体が取り付けられ、全閉位置において前記蓋体は３面以上の側面を筐体と略平行且つ近接又は当接し、前記蓋体外表面と前記蓋体側面のなす角度が鋭角及び鈍角の双方であることを特徴としている。
【発明の効果】
【０００７】
本発明によれば、蓋体側面と蓋体外表面とのなす角度が鋭角又は鈍角なので、蓋体外表面方向から筐体を見たときに筐体内部が見えず高い外観品位を提供することが出来る。
【０００８】
また、蓋体側面が鋭角と鈍角の双方を構成することで、蓋体全閉状態において蓋体の開方向および閉方向への付勢に対しガタが少ない蓋開閉構造を提供することが出来る。
【０００９】
さらに、蓋体全開位置から更に開方向への外力が蓋体に作用した場合にも蓋体側面と筐体外表面が面で接触し外力に耐えることで剛性の高い蓋開閉構造を提供することが出来る。
【発明を実施するための最良の形態】
【００１０】
（実施例１）
以下、本発明の実施の形態を図を用いて説明する。図１は本実施の形態にかかるデジタルカメラ１底面の斜視図であり電池蓋が全開状態を示す。図２は電池蓋が全閉状態の斜視図、図３は電池蓋構造の分解斜視図である。図４は図２のＡ−Ａ断面図であり、図５は図２のＢ−Ｂ断面図を示す。
【００１１】
デジタルカメラ１は、内部機構を覆うフロントカバー２とリアカバー３、グリップカバー４を有し、デジタルカメラ筐体底面には開閉可能な電池蓋５が配置され、中に電池６を収納する電池収納部７を有する。
【００１２】
電池収納部７には電池６を挿入・取り出し可能な開口部が形成され、この開口部は電池蓋５によって開閉される。電池収納部７には撮影したデータを保存するメモリーカード挿入口８やデジタルカメラの設定項目を保存するためのコイン電池収納部９も備える。
【００１３】
デジタルカメラ正面には撮像レンズを収容する鏡筒部１０を備え、デジタルカメラ底面には三脚を固定するための三脚ねじ１１を備える。デジタルカメラ側面には、ストラップベルトを固定するためのストラップリング１２や図示省略した外部インターフェースコネクタを保護するジャックカバー１３を備える。さらに図示省略するがデジタルカメラ背面及び上面には電源ボタンや操作ボタンやズームレバー、撮影した画像を表示するための液晶表示部を備える。
【００１４】
電池収納部７に形成された穴には軸部材１４が挿入され、軸部材１４が固定されている。電池蓋５は軸部材１４に対して回動可能である。支持プレート１５は曲げ加工による軸受け部を有し、軸受け部を介して軸部材１４と回動自在に軸支されている。電池接片１６が接片ベース１７に固定され、各電池接片は電池６のプラス端子とマイナス端子それぞれに当接する接片部を形成する。電池収納部７奥にも図示していない電池接片を備える。
【００１５】
電池蓋５と接片ベース１７は支持プレート１５を挟んで一体的にビス１８で固定されている。支持プレート１５には一対の案内片１９が形成され、この案内片１９に対応する案内溝２０が電池蓋５に形成され、電池蓋５の案内溝２０に沿って電池蓋５は面内方向かつ軸部材１４に垂直方向に移動可能に支持プレート１５と係合されている。
【００１６】
支持プレート１５には開口２１が形成され前記開口２１内に電池蓋５のビス受け座２２が入り、前記開口２１内をビス受け座２２が移動することで電池蓋５と支持プレート１５の移動範囲が規制される。電池収納部７には係合部２３が形成され、これら係合部に対向した係合部２４が電池蓋５に形成されている。
【００１７】
軸部材１４に平行で且つ近傍の電池蓋側面２５ａと電池蓋底面２６のなす角度αが９０°以上の鈍角であり、電池蓋全閉状態において電池蓋側面２５ａと筐体内側面２７ａは平行且つ近接する。また、電池蓋側面２５ｂと電池蓋底面２６のなす角度βが９０°以下の鋭角であり、電池蓋全閉状態において、電池蓋側面２５ｂと筐体内側面２７ｂは平行且つ近接する。また、電池蓋側面２５ｃと電池蓋底面２６のなす角度γが９０°以下の鋭角であり、電池蓋全閉状態において、電池蓋側面２５ｃと筐体内側面２７ｃは平行且つ近接する。
【００１８】
次に、電池蓋５の開閉機構について説明する。電池蓋全閉状態において電池蓋５の係合部２３と電池収納部の係合部２４が係合され電池蓋５を全閉位置で保持する。電池蓋５を全閉位置から全開位置に移動する動作は、支持プレート１５にスライド可能に係合された電池蓋５が全閉状態から筐体底面２６に平行且つ軸部材１４に垂直方向（Ｘ方向）にスライド移動する。
【００１９】
次に、支持プレート１５と電池蓋５が一体的に軸部材１４を中心に回動し、電池蓋５が全開位置に移動する。電池蓋５が全閉状態においてデジタルカメラを底面方向から見たときは電池蓋側面２５ａや筐体内側面２７ｂ，２７ｃが見えるだけで、筐体内部が見えることが無いため外観品位が高い電池蓋開閉構造である。
【００２０】
また、電池収納部７では電池６と電池接片１６の導通を確実にするために、電池接片１６部にバネ性を持たせ電池端子部と電池接片１６部の接圧を確保している。そのため、電池蓋全閉状態では電池接片１６部のバネ性による電池長手方向の付勢力が働き、すなわち電池蓋５は開方向に絶えず付勢される。しかし、電池蓋側面が鋭角と鈍角の両方を構成することで、電池蓋側面２５ａ，２５ｂ，２５ｃと筐体内側面２７ａ，２７ｂ，２７ｃが当接し、前記付勢力による電池蓋５の開方向への移動を防ぐことができ電池蓋５のガタを抑えることが出来る。
【００２１】
（実施例２）
図６は、第二の実施の形態を示すデジタルカメラ正面の拡大図である。電池蓋５の全開状態を示し、実施例１同様に電池収納部７に回動自在に軸支された支持プレート１５にスライド可能に電池蓋５が係合されている。
【００２２】
この状態において電池蓋側面２５ｄは筐体底面２８と平行で且つ近接する。電池蓋５の全開位置において、全開位置の電池蓋５に更に開方向（Ｚ方向）への外力が働いた場合、電池蓋側面２５ｄと筐体底面２８が面で接触することができるので点接触や線接触の構成と比較しより強い外力に耐えることができ剛性が高い。
【００２３】
また、点接触や線接触と比較して面接触の方が接触部の応力が最も緩和されるため、接触による電池蓋側面２５ｄや筐体底面２８の傷や打痕等の外観品位の劣化を最小限に抑えることが出来る。
【図面の簡単な説明】
【００２４】
【図１】本発明の第１の実施例に係わるデジタルカメラの電池蓋全閉状態の斜視図
【図２】電池蓋全閉状態のデジタルカメラ底面の斜視図
【図３】電池蓋構造の分解斜視図
【図４】図２のＡ−Ａ断面図
【図５】図２のＢ−Ｂ断面図
【図６】本発明の第２の実施例に係わるデジタルカメラ正面の拡大図
【図７】従来例を説明する図
【符号の説明】
【００２５】
１  デジタルカメラ
２  フロントカバー
３  リアカバー
４  グリップカバー
５  電池蓋（蓋体）
６  電池
７  電池収納部
８  メモリーカード挿入口
９  コイン電池収納部
１０  鏡筒部
１１  三脚ねじ
１２  ストラップリング
１３  ジャックカバー
１４  軸部材
１５  支持プレート
１６  電池接片
１７  接片ベース
１８  ビス
１９  支持プレート案内片
２０  案内溝
２１  支持プレート開口
２２  ビス受け座
２３  電池収納部の係合部
２４  電池蓋の係合部
２５ａ，２５ｂ，２５ｃ，２５ｄ  電池蓋側面（蓋体側面）
２６  電池蓋底面（蓋体外表面）
２７ａ，２７ｂ，２７ｃ  筐体内側面
２８  筐体底面
α  電池蓋側面と電池蓋底面のなす角度
β  電池蓋側面と電池蓋底面のなす角度
γ  電池蓋側面と電池蓋底面のなす角度
【図１】
2008192363.tif 000003
【図２】
2008192363.tif 000004
【図３】
2008192363.tif 000005
【図４】
2008192363.tif 000006
【図５】
2008192363.tif 000007
【図６】
2008192363.tif 000008
【図７】
2008192363.tif 000009